(57)【要約】  本発明は身飾品、特にブレスレットの技術分野に関し、本発明により提供されるブレスレットは、収容部とその接続される制限部を有する第一のボタン体に接続される第一の分離体と、その境界面が収容溝を有する第二のボタン体に接続される第二の分離体を備えている。収容部は収容溝内に位置し、収容溝の溝壁には突起が設けられ、制限部は突起内において係合され、突起の幅は収容部の幅より小さい。第一のボタン体を第二のボタン体に接続するために、収容部と収容溝の底部の間に磁気アセンブリが設けられる。磁気アセンブリにより発生させられる吸引力の方向は、収容部が収容溝に入る方向に平行である。本発明は、手首からのブレスレットの取り外しと、使用者の経験の向上を実現し得る。
2020525057.tif 000002
【特許請求の範囲】
【請求項１】
収容部とその接続される制限部を有する第一のボタン体に接続される第一の分離体と、その境界面が収容溝を有する第二のボタン体に接続される第二の分離体を備えており、前記収容部は長方形又は円筒形を有し、前記収容溝の部分は円形又は長方形であり、
前記収容部は前記収容溝内に位置し、前記収容溝の溝壁には突起が設けられ、前記制限部は前記突起内において係合され、前記突起の幅は前記収容部の幅より小さく、前記突起の幅の方向は、前記収容部が前記収容溝に入る方向に垂直な方向に沿って前記収容溝が容易に滑り出ないように、前記第二の分離体の全長の方向に垂直であり、
前記第一のボタン体を前記第二のボタン体に接続するために前記収容部と前記収容溝の底部の間に磁気アセンブリが設けられ、
前記磁気アセンブリにより発生させられる吸引力の方向は、前記収容部が前記収容溝に入る方向に平行である、
ブレスレット。
【請求項２】
香料配置溝が前記第一の分離体及び／又は前記第二の分離体上に設けられる、請求項１に記載のブレスレット。
【請求項３】
マイクロＧＰＳ測位装置が前記第一の分離体又は前記第二の分離体上に設けられる、請求項１に記載のブレスレット。
【請求項４】
前記第一の分離体及び前記第二の分離体の材料が金属又はプラスチックである、請求項１に記載のブレスレット。
【請求項５】
前記金属が銅、アルミニウム合金、ステンレス鋼チタン、チタン合金であり、前記プラスチックがＡＢＳ、ＰＯＭ、ＰＳ、ＰＭＭＡ、ＰＣ、ＰＥＴ、ＰＢＴ、ＰＰＯ、ＰＰ、ＰＥ、ＰＡ又はＰＶＣである、請求項４に記載のブレスレット。
【請求項６】
前記磁気アセンブリが、前記収容部に固定される第一の吸引体と、前記収容溝の底部に固定される第二の吸引体を備えている、請求項１乃至５のいずれかに記載のブレスレット。
【請求項７】
前記第一の吸引体と前記第二の吸引体が共に磁石であり、又は第一の吸引体が磁石であって第二の吸引体が磁石により引き付けられることが可能な金属であり、又は第二の吸引体が磁石であって第一の吸引体が磁石により引き付けられることが可能な金属である、請求項６に記載のブレスレット。
【請求項８】
前記磁石により引き付けられることが可能な金属がニッケル、コバルト又は鉄である、請求項７に記載のブレスレット。
【請求項９】
前記収容部が第二の段階的な穴を有し、
前記収容溝の前記底部が第一の段階的な穴を有し、前記第一の段階的な穴の開口部の小さい部分が前記第二のボタン体の境界面に位置し、前記第一の段階的な穴の開口部の大きい部分が第二のボタン体の装着面上に位置し、
前記第一の吸引体が前記第二の段階的な穴の中に固定され、前記第二の吸引体が前記第一の段階的な穴の中に固定される、
請求項６に記載のブレスレット。
【請求項１０】
収容部とその接続される制限部を有する第一のボタン体に接続される第一の分離体と、その境界面が収容溝を有する第二のボタン体に接続される第二の分離体を備えており、
前記収容部は前記収容溝内に位置し、前記収容溝の溝壁には突起が設けられ、前記制限部は前記突起内において係合され、前記突起の幅は前記収容部の幅より小さく、
前記第一のボタン体を前記第二のボタン体に接続するために前記収容部と前記収容溝の底部の間に磁気アセンブリが設けられ、
前記磁気アセンブリにより発生させられる吸引力の方向は、前記収容部が前記収容溝に入る方向に平行であり、
発光球が前記第一のボタン体及び／又は前記第二のボタン体の中に嵌め込まれる、
ブレスレット。
【発明の詳細な説明】
【技術分野】
【０００１】
本発明は、身飾品の技術分野に関し、特にブレスレットに関する。
【背景技術】
【０００２】
ブレスレットは、人間の歴史の発展における一種の身飾品であり、異なる人々についての異なる期間及び異なる機会において異なる意味を有する。市場には種々のブレスレット用の材料が存在し、これらは服飾の要素になっている。既存のブレスレットの殆どは手首上に着用することを促進するために自由な屈曲を伴う構造を有し、そのため前記構造の二つの終端はスナップを使用することにより共に接続され、ブレスレットは手首から落下せず、あるいは一体型のリング構造を使用して手首上に直接着用される。使用が増えるにつれてスナップの故障が存在し、全体のリング構造は使用者が迅速にブレスレットを取り外すために有用ではなく、そのため使用者の経験は劣悪（poor）となる。
【発明の概要】
【課題を解決するための手段】
【０００３】
（発明の内容）
本発明の目的は、従来技術における劣悪な使用者の経験の技術的問題を解決するためのブレスレットを提供することである。
【０００４】
本発明は、収容部とその接続される制限部を有する第一のボタン体に接続される第一の分離体と、その境界面（abutment surface）が収容溝（accommodation slot）を有する第二のボタン体に接続される第二の分離体を備えているブレスレットを提供する。収容部は収容溝内に位置し、収容溝の溝壁には突起（bayonet）が設けられ、制限部は突起内において係合され、突起の幅は収容部の幅より小さく、第一のボタン体を第二のボタン体に接続するために収容部と収容溝の底部の間に磁気アセンブリが設けられ、磁気アセンブリにより発生させられる吸引力の方向は収容部が収容溝に入る方向に平行である。
【０００５】
さらに、香料（香料）配置溝が第一の分離体及び／又は第二の分離体上に配置される。
【０００６】
さらに、マイクロＧＰＳ測位装置が第一の分離体又は第二の分離体上に設けられる。
【０００７】
さらに、第一の分離体と第二の分離体の材料は金属又はプラスチックである。
【０００８】
さらに、金属は銅、アルミニウム合金、ステンレス鋼チタン、チタン合金であり、プラスチックはＡＢＳ、ＰＯＭ、ＰＳ、ＰＭＭＡ、ＰＣ、ＰＥＴ、ＰＢＴ、ＰＰＯ、ＰＰ、ＰＡ又はＰＶＣである。
【０００９】
さらに、磁気アセンブリは、収容部に固定される第一の吸引体（absorbent）と、収容溝の底部に固定される第二の吸引体を備えている。
【００１０】
さらに、第一の吸引体と第二の吸引体は共に磁石である。
【００１１】
あるいは、第一の吸引体は磁石であり、第二の吸引体は磁石により引き付けられることが可能な金属である。
【００１２】
あるいは、第二の吸引体は磁石であり、第一の吸引体は磁石により引き付けられることが可能な金属である。
【００１３】
さらに、磁石により引き付けられ得る金属はニッケル、コバルト又は鉄である。
【００１４】
さらに、収容部は第二の段階的な穴（stepped hole）を有し、収容溝の底部は第一の段階的な穴を有し、第一の段階的な穴の開口部の小さい部分は第二のボタン体の境界面に位置し、第一の段階的な穴の開口部の大きい部分は第二のボタン体の装着面上に位置する。
【００１５】
第一の吸引体は第二の段階的な穴の中に固定され、第二の吸引体は第一の段階的な穴の中に固定される。
【００１６】
本発明は、収容部とその接続される制限部を有する第一のボタン体に接続される第一の分離体と、その境界面が収容溝を有する第二のボタン体に接続される第二の分離体を備えているブレスレットをも提供する。収容部は収容溝内に位置し、収容溝の溝壁には突起が設けられ、制限部は突起内において係合され、突起の幅は収容部の幅より小さく、第一のボタン体を第二のボタン体に接続するために収容部と収容溝の底部の間に磁気アセンブリが設けられ、磁気アセンブリにより発生させられる吸引力の方向は収容部が収容溝に入る方向に平行である。
【００１７】
発光球は、第一のボタン体及び／又は第二のボタン体の中に嵌め込まれる。
【００１８】
本発明の有用な効果は、従来技術と比較して以下に与えられる。
【００１９】
本発明により提供されるブレスレットは、収容部とその接続される制限部を有する第一のボタン体に接続される第一の分離体と、その境界面が収容溝を有する第二のボタン体に接続される第二の分離体を備えている。収容部は収容溝内に位置し、収容溝の溝壁には突起が設けられ、制限部は突起内において係合され、突起の幅は収容部の幅より小さく、第一のボタン体を第二のボタン体に接続するために収容部と収容溝の底部の間に磁気アセンブリが設けられ、磁気アセンブリにより発生させられる吸引力の方向は収容部が収容溝に入る方向に平行である。二つの分離体（すなわち第一の分離体と第二の分離体）を採用することによりブレスレットは手首から容易に取り外され、二つの分離体が結合された（merged）後に硬いブレスレットの美しさを失うことなく使用者の体験を改善するように、二つの分離体は硬質の材料から作られ得る。第一の分離体と第二の分離体は第一のボタン体と第二のボタン体により結合され得て、第一のボタン体と第二のボタン体は磁気アセンブリにより接続される。収容溝に対して制限される収容部を採用することにより、第一のボタン体と第二のボタン体の接続強度が確保される。磁気アセンブリは、収容溝に対して制限される収容部の状態を維持するために採用される。そして、磁気アセンブリにより発生させられる吸引力の方向は収容部が収容溝に入る方向に平行であり、収容部は収容溝から容易に取り外され得て、これによりボタンのロック解除の迅速な実現を促進し、磁気アセンブリの使用はスナップにより長い耐用年数をも持たせ得て、スナップの故障を引き起こすことは容易でなくなり、使用者の経験は改善される。収容部が収容溝に入る方向に垂直な方向に沿って収容溝が容易に滑り出ないように、収容溝には突起が設けられ、その幅は収容溝の幅より小さい。
【００２０】
本発明の特定の実施形態、又は従来技術における技術的解決法をより明確に図示するために、詳細な説明又は従来技術の説明において使用されることを意図される以下の図面が簡潔に説明される。以下の説明における図面が本発明の実施形態のうちのいくつかであることは明白であり、他の図面は創作的作業なしに当業者によって取得され得る。
【発明を実施するための形態】
【００２１】
（好適な実施形態の詳細な説明）
本発明は今添付の図面を参照して詳細に説明され、説明される実施形態が本発明の実施形態の一部であって実施形態の全てでないことは明白である。本発明の実施形態に基づいて、当該分野における技術者により創作的な労働なしに得られる全ての他の実施形態は、本発明の保護の範囲内にある。
【００２２】
本発明の説明において、用語「中央」、「上方」、「下方」、「左方」、「右方」、「垂直」、「水平」、「内側」、「外側」及び他のものにより示される方位角及び位置関係は、参照される装置又は要素が特定の方向を有しなければならず特定の方向にて構築されて動作させられることを示し又は暗示するよりはむしろ、本発明の説明及び単純化された説明を促進する目的のためにのみ添付の図面に示される方位角又は位置関係であり、従って本発明に対する限定として解釈され得ない。加えて、用語「第一」、「第二」及び「第三」は例示目的のみのためのものであり、相対的な重要性を示し又は暗示するものとして解釈されるべきではない。
【００２３】
本発明の説明において、用語「設置」、「結合」及び「接続」は他に明示的に特定及び定義されていない限り広い意味にて理解されるべきであり、例えばこれは固定された接続若しくは取り外し可能な接続であり、又は一体的に接続され得て、機械的若しくは電気的接続であり得て、直接的に接続され得て、中間物を通じて間接的にも接続され得て、二つの構成要素の内部接続であり得る。本発明における上記用語の特定の意味が詳細に理解され得ることは、当業者にとって明白であろう。
【実施例１】
【００２４】
図１乃至図４に示されるように、本発明の実施例１により提供されるブレスレットは、収容部１０４とその接続される制限部１０５を有する第一のボタン体１０２に接続される第１の分離体１００と、その境界面が収容溝１０９を有する第二のボタン体１０３に接続される第二の分離体１０１を備えている。収容部１０４は収容溝１０９内に位置し、収容溝１０９の溝壁には突起１０６が設けられ、制限部１０５は突起１０６内において係合され、突起１０６の幅は収容部１０４の幅より小さい。第一のボタン体１０２を第二のボタン体１０３に接続するために収容部１０４と収容溝１０９の底部の間に磁気アセンブリが設けられ、磁気アセンブリにより発生させられる吸引力の方向は収容部１０４が収容溝１０９に入る方向に平行である。
【００２５】
詳細には、第二のボタン体１０３は対応する境界面と装着面を有し、収容溝１０９はノッチを有する。すなわち、収容部１０４が収容溝１０９に入り又はこれから出るときに、ノッチに入り又はこれから出る。収容溝１０９の部分は円形又は長方形であり、収容部１０４は長方形又は円筒形を有する。本実施例において、収容溝１０９の部分は長方形であり、収容部１０４は直方体の形状を有する。第一のボタン体１０２は第一の分離体１００の一つの終端に固定して接続され、第一のボタン体１０２は第一の分離体１００と一体に形成される。第二の分離体１０１の一つの終端は第二の分離体１０３に固定して接続され、第一の分離体１００と第二の分離体１０１は全て円弧形状を有し、第一の分離体１００と第二の分離体１０１はリング形状構造を形成するために共に接続される。突起１０６の幅の方向は、ノッチを除いて収容溝１０９の他の部分から外される全長の方向に対して垂直である。
【００２６】
本実施例において、香料配置溝は第一の分離体１００及び／又は第二の分離体１０１上に設けられる。蓋が香料配置溝の上に配置され、通気孔が蓋上に配置される。香料配置溝は従来技術における任意の種類であり得る香料を置くために配置され、使用者は彼ら自身の状況に従って選択し得る。
【００２７】
本実施例において、マイクロＧＰＳ測位装置は第一の分離体１００又は第二の分離体１０１上に設けられ、測位機能がマイクロＧＰＳ測位装置により達成され得る。マイクロＧＰＳ測位装置は、第一の分離体１００又は第二の分離体１０１上に嵌め込まれる。マイクロＧＰＳ測位装置は従来技術のうちの一つを使用し、その特定の構造は詳細には説明されない。
【００２８】
本実施例において、第一の分離体１００及び第二の分離体１０１の材料は金属又はプラスチックである。金属は銅、アルミニウム合金、ステンレス鋼チタン、チタン合金であり、プラスチックはＡＢＳ、ＰＯＭ、ＰＳ、ＰＭＭＡ、ＰＣ、ＰＥＴ、ＰＢＴ、ＰＰＯ、ＰＰ、ＰＥ、ＰＡ又はＰＶＣである。プラスチックは硬質又は半硬質プラスチックである。
【００２９】
本実施例において、磁気アセンブリは第一の吸引体１０７と第二の吸引体１０８を含み、第一の吸引体１０７は収容部１０４に固定され、第二の吸引体１０８は収容溝１０９の底部に固定される。そのようにして、第一の吸引体１０７と第二の吸引体１０８の間の吸引力は最大化される。第一の吸引体１０７と第二の吸引体１０８の両方の数は二である。
【００３０】
本実施例において、第一の吸引体１０７と第二の吸引体１０８の両方は磁石であり、あるいは第一の吸引体１０７が磁石であって第二の吸引体１０８は磁石により引き付けられることが可能な金属であり、あるいは第二の吸引体１０８が磁石であって第一の吸引体１０７は磁石により引き付けられることが可能な金属である。磁石により引き付けられ得る金属は、ニッケル、コバルト又は鉄である。
【００３１】
具体的には、第一の吸引体１０７と第二の吸引体１０８は接着の方法によりそれぞれ第一のボタン体１０２と第二のボタン体１０３に嵌め込まれる。第一の吸引体１０７と第二の吸引体１０８は磁石であり、ここで二つの磁石の対向する面の磁気は第一の吸引体１０７と第二の吸引体１０８の間の引き付けを達成するために対向している。第一の吸引体１０７と第二の吸引体１０８が磁石から作られているときには、それらは収容部１０４が収容溝１０９から外れないことを確実にするようにより大きな吸引力を有し得る。
【００３２】
本実施例において、収容部１０４は第二の段階的な穴を有し、収容溝１０９の底部は第一の段階的な穴を有し、第一の段階的な穴と第二の段階的な穴の両方は開口部の大きい部分と小さい部分を有する。第一の段階的な穴の開口部の小さい部分は第二のボタン体１０３の境界面上に位置し、第一の段階的な穴の開口部の大きい部分は第二のボタン体１０３の装着面上に位置する。収容部１０４が収容溝１０９内に位置するときには、第二の段階的な穴の小さい部分は第一の段階的な穴の小さい部分に対向する。第一の吸引体１０７は第二の段階的な穴の中に固定され、第二の吸引体１０８は第一の段階的な穴の中に固定される。第一の吸引体１０７と第二の吸引体１０８の両方は、より大きい直径を有するより大きいシリンダーが開口部のより大きい部分内に位置してより小さい直径を有するシリンダーは開口部の小さい部分内に位置するように、共に接続される異なる直径の二つのシリンダーを有し、これにより収容部１０４が収容溝１０９から出るときに第一の吸引体１０７が第二のラダーホール（ladder hole）から外れず、第二の吸引体１０８が第一の段階的な穴から外れない。
【実施例２】
【００３３】
本実施例におけるブレスレットは、実施例１を基礎とする改良版であり、実施例１において開示された技術的内容は繰り返して説明されず、本実施例において開示された内容もまた本実施例に含まれる。
【００３４】
本実施例においては、発光球が第一のボタン体内及び／又は第二のボタン体の中に嵌め込まれている。これにより、ブレスレットを容易に取り外すように第一のボタン体１０２と第二のボタン体１０３を夜間に識別することが容易である。
【００３５】
最後に、上記実施形態は、限定であるよりはむしろ、本発明の技術的解決法の単なる例示であることに留意されるべきである。本発明は前述の実施形態を参照して詳細に説明されたが、当業者は前述の実施形態において説明された技術的解決法を変更し、又はその中の技術的特徴のいくつか若しくは全てを均等に置き換えることが依然可能であることを理解するべきであり、これらの変更又は代替は本発明の種々の実施形態の技術的解決法の範囲から離れるものではない。加えて、本明細書において説明される実施形態のうちのいくつかは他の実施形態に含まれる特定の特徴を含み他の特徴を含まないが、異なる実施形態の特徴の組み合わせは、それが本発明の範囲内に属して異なる実施形態を形成することを意味することが、当業者によって理解されるであろう。例えば添付の特許請求の範囲において、請求項に記載される実施形態のうちの任意の一つは、任意の組み合わせにおいて使用され得る。
【図面の簡単な説明】
【００３６】
【図１】本発明の第一の実施形態において提供されるブレスレットの組立図である。
【図２】本発明の実施例１において提供されるブレスレットの展開図である。
【図３】本発明の実施例１において提供されるブレスレットの別の斜視図の展開図である。
【図４】図３中のＡにおける部分拡大概略図である。
【符号の説明】
【００３７】
１００  第一の分離体
１０１  第二の分離体
１０２  第一のボタン体
１０３  第二のボタン体
１０４  収容部
１０５  制限部
１０６  突起
１０７  第一の吸引体
１０８  第二の吸引体
１０９  収容溝
【図１】
2020525057.tif 000003
【図２】
2020525057.tif 000004
【図３】
2020525057.tif 000005
【図４】
2020525057.tif 000006
【国際調査報告】
2020525057.tif 000007
2020525057.tif 000008